(57)【要約】【課題】簡易な構成で試料を斜め観察する際に安定した状態で観察を行うことができる顕微鏡を提供すること。【解決手段】試料Ｓが載置される試料載置台３と、試料載置台３上の試料Ｓに光源５１からの照明光を集光して照射する対物レンズ５４と、試料Ｓからの反射光を撮像部５６に結像する結像レンズ５５とを有する顕微鏡本体部５と、顕微鏡本体部５を支持する支持部４と、試料載置台３に連結するとともに、対物レンズ５４の焦点位置を中心軸に顕微鏡本体部５と支持部４とを配列した方向（Y軸方向）に支持部４を傾斜可能に保持するベース部２と、を備える。【選択図】図１
2011007874.tif 000002
【特許請求の範囲】
【請求項１】
試料が載置される試料載置台と、
前記試料載置台上の前記試料に光源からの照明光を集光して照射する対物レンズと、該試料からの反射光を撮像部に結像する結像レンズとを有する顕微鏡本体部と、
前記顕微鏡本体部を支持する支持部と、
前記試料載置台に連結するとともに、前記対物レンズの焦点位置を中心軸に前記顕微鏡本体部と前記支持部とを配列した方向に前記支持部を傾斜可能に保持するベース部と、
を備えたことを特徴とする顕微鏡。
【請求項２】
前記ベース部は、前記顕微鏡本体部と前記支持部とを配列した方向に前記対物レンズの焦点位置を中心軸に円弧状に形成されたガイド部を備え、
前記支持部は、前記ガイド部に係合し、前記顕微鏡本体部を傾斜させる移動に連動して前記ガイド部に沿って移動する係合部を備えたことを特徴とする請求項１に記載の顕微鏡。
【請求項３】
前記試料に対して前記顕微鏡本体部の光軸が所定角度に傾斜した位置で前記支持部を前記ベース部に固定する固定手段を備えたことを特徴とする請求項１または２に記載の顕微鏡。
【請求項４】
前記支持部と前記ベース部とに連結され、前記顕微鏡本体部および前記支持部から前記ベース部に加わる荷重を軽減する力を発する弾性部材を備えたことを特徴とする請求項１〜３のいずれか一つに記載の顕微鏡。
【請求項５】
前記顕微鏡本体部は、前記試料に対して前記対物レンズの焦点位置を調整する焦点調整手段を備えたことを特徴とする請求項１〜４のいずれか一つに記載の顕微鏡。
【発明の詳細な説明】
【技術分野】
【０００１】
本発明は、試料載置台に載置された試料に対して、対物レンズの試料に対する光軸の角度（すなわち試料に対する観察角度）を変えることによって、試料を異なる角度で観察可能な顕微鏡に関する。
【背景技術】
【０００２】
従来から、試料載置台に載置された試料を異なる角度から観察する顕微鏡が知られている。たとえば、対物レンズ等の光学系を含む撮像部が、回転機構を有するスタンド装置に取り付けられた顕微鏡が知られている（特許文献１参照）。この顕微鏡によれば、スタンド装置が有する回転機構の回転によって対物レンズの光軸が試料に対して傾くことになる。これにより、異なる角度から試料を観察することができる。
【先行技術文献】
【特許文献】
【０００３】
【特許文献１】特開２００６−３３７４７０号公報
【発明の概要】
【発明が解決しようとする課題】
【０００４】
しかしながら、上述した特許文献１では、回転機構の回転角度を大きくしていくと、撮像部の重さにより顕微鏡全体の重心が回転機構の傾斜する方向に偏るため、顕微鏡全体の重心のバランスが崩れ、静止時の安定性が損なわれる。この結果、外部の振動や衝撃等が顕微鏡を介して撮像部に伝達することによって試料の観察像に乱れが生じ、試料に対して精度の高い観察を行うことが困難になるという問題点があった。
【０００５】
また、試料を斜め方向から観察する場合に静止時の安定性を得ようとすると、スタンド装置などの関連部材に高い剛性が必要になる。このため、装置が複雑かつ大型化するという問題点があった。
【０００６】
本発明は、上記に鑑みてなされたものであって、簡易かつ安定した構成で試料を斜め観察することができる顕微鏡を提供することを目的とする。
【課題を解決するための手段】
【０００７】
上述した課題を解決し、目的を達成するために、本発明の顕微鏡は、試料が載置される試料載置台と、前記試料載置台上の前記試料に光源からの照明光を集光して照射する対物レンズと、該試料からの反射光を撮像部に結像する結像レンズとを有する顕微鏡本体部と、前記顕微鏡本体部を支持する支持部と、前記試料載置台に連結するとともに、前記対物レンズの焦点位置を中心軸に前記顕微鏡本体部と前記支持部とを配列した方向に前記支持部を傾斜可能に保持するベース部と、を備えたことを特徴とする。
【０００８】
また、この発明にかかる顕微鏡は、上記の発明において、前記ベース部は、前記顕微鏡本体部と前記支持部とを配列した方向に前記対物レンズの焦点位置を中心軸に円弧状に形成されたガイド部を備え、前記支持部は、前記ガイド部に係合し、前記顕微鏡本体部を傾斜させる移動に連動して前記ガイド部に沿って移動する係合部を備えたことを特徴とする。
【０００９】
また、この発明にかかる顕微鏡は、上記の発明において、前記試料に対して前記顕微鏡本体部の光軸が所定角度に傾斜した位置で前記支持部を前記ベース部に固定する固定手段を備えたことを特徴とする。
【００１０】
また、この発明にかかる顕微鏡は、上記の発明において、前記支持部と前記ベース部とに連結され、前記顕微鏡本体部および前記支持部から前記ベース部に加わる荷重を軽減する力を発する弾性部材を備えたことを特徴とする。
【００１１】
また、この発明にかかる顕微鏡は、上記の発明において、前記顕微鏡本体部は、前記試料に対して前記対物レンズの焦点位置を調整する焦点調整手段を備えたことを特徴とする。
【発明の効果】
【００１２】
本発明にかかる顕微鏡は、ベース部が試料載置台上の試料に光源からの照明光を集光して照射する対物レンズと該試料からの反射光を撮像部に結像する結像レンズとを有する顕微鏡本体部を支持する支持部を、対物レンズの焦点位置を中心軸に顕微鏡本体と支持部とを配列した方向に傾斜可能に保持するようにしているので、試料に対して簡易かつ安定した構成で観察を行うことができる。
【図面の簡単な説明】
【００１３】
【図１】図１は、本発明の実施の形態１にかかる顕微鏡の構成を示す側面図である。
【図２】図２は、図１に示した顕微鏡の平面図である。
【図３】図３は、図１に示したＡ−Ａ線断面図である。
【図４】図４は、図１に示した顕微鏡による斜め観察時の側面図である。
【図５】図５は、図４に示した顕微鏡の平面図である。
【図６】図６は、図４に示したＢ−Ｂ線断面図である。
【図７】図７は、本発明の実施の形態２にかかる顕微鏡の構成を示す側面図である。
【図８】図８は、図７に示した顕微鏡による斜め観察時の側面図である。
【発明を実施するための形態】
【００１４】
以下、図面を参照して、本発明にかかる顕微鏡の実施の形態を詳細に説明する。なお、この実施の形態によって発明は限定されるものではない。また、図面の記載において、同一の部分には同一の符号を付している。
【００１５】
（実施の形態１）
図１は、本発明の実施の形態１にかかる顕微鏡の構成を示す側面図であり、図２は、図１に示した顕微鏡の平面図である。図１および図２に示すように、この顕微鏡１は、机上等に直接設置される部分であるベース部２と、試料Ｓを載置する試料載置台３と、顕微鏡本体部５を支持する支持部４と、試料Ｓの拡大観察像を撮像する顕微鏡本体部５と、顕微鏡本体部５によって撮像される試料Ｓの拡大観察像を表示して出力する出力部６と、を備える。
【００１６】
試料載置台３は、上面に観察対象となる試料Ｓを載置させるものであり、保持部３１を介してベース部２に連結される。試料載置台３は、所望の観察用途や試料Ｓの大きさに応じて適切な大きさのものが選択される。試料載置台３は、移動調整部３２および昇降調整部３３を有する。移動調整部３２は、顕微鏡本体部５の光軸Ｌと直交する試料載置台３の面内（ＸＹ軸方向）を移動させることによって、試料Ｓの位置出しを行う。昇降調整部３３は、図示しない昇降機構を駆動させることによって、顕微鏡本体部５の光軸Ｌ方向（Ｚ軸方向）に試料載置台３を昇降させ、試料Ｓの焦点合わせを行う。なお、移動調整部３２および昇降調整部３３は、モータ等の駆動機構を用いて試料載置台３の調整を行ってもよい。
【００１７】
ベース部２の後方における上端部の周縁には、左右の側板２４および後板２５が立てた状態で設けられ、前方および上方を開口して一体的に形成され、平面的に略コ字状を有する。側板２４は、略中央から前方方向に向けて屈曲されて延ばされ、側面方向から見て略Ｌ字状に形成される。側板２４は、ガイド部２４ａ、ガイド部２４ｂおよび固定部２６を有する。ガイド部２４ａおよびガイド部２４ｂは、顕微鏡本体部５と支持部４とを配列した方向（Ｙ軸方向）に対物レンズ５４の焦点位置を中心軸に円弧状に形成された穴である。具体的には、図１に示すように、ガイド部２４ａは、対物レンズ５４の焦点位置を中心軸に半径Ｒ１を有し、ガイド部２４ｂは、対物レンズ５４の焦点位置を中心軸に半径Ｒ２を有する。ガイド部２４ａおよびガイド部２４ｂは、所定の長さを有し、たとえば、対物レンズ５４の焦点位置を中心軸に４５度の長さを有する。また、ガイド部２４ａおよびガイド部２４ｂは、図２に示すベース部２の中心線ＣＬを挟んだ左右の側板２４にそれぞれ対称に設けられている。固定部２６は、試料Ｓに対して顕微鏡本体部５の光軸Ｌが所定角度に傾斜した位置で支持部４をベース部２の側板２４に固定する。
【００１８】
支持部４は、ベース部２における左右の側板２４および後板２５によって形成された平面的に略コ字状の空間内部に囲まれるように配置される。支持部４は、前板４１および左右の側板４２を有し、下方および後方を開口して一体的に形成され、平面的に略コ字状を有する。前板４１は、顕微鏡本体部４を支持する。側板４２は、係合部４２ａおよび係合部４２ｂを有する。係合部４２ａ，４２ｂは、ローラ状の部材が回転可能なものであり、たとえば、カムフォロアによって実現される。係合部４２ａ，４２ｂは、ガイド部２４ａ，２４ｂと同様に、図２に示すベース部２の中心線ＣＬを挟んだ左右の側板４２にそれぞれ対称に設けられている。係合部４２ａ，４２ｂは、ガイド部２４ａ，２４ｂにそれぞれ嵌め込まれ、顕微鏡本体部５を傾斜させる移動に連動してガイド部２４ａ，２４ｂに沿って移動する。すなわち、支持部４は、ベース部２の左右の側板２４それぞれに設けられたガイド部２４ａ，２４ｂによって、顕微鏡本体部５と支持部４とを配列した方向（Ｙ軸方向）に移動方向が規制される。
【００１９】
顕微鏡本体部５は、光源５１、照明レンズ５２、ハーフミラー５３、対物レンズ５４、結像レンズ５５および撮像部５６を有する。顕微鏡本体部５の光軸Ｌには、下から順番に対物レンズ５４、ハーフミラー５３、結像レンズ５５、撮像部５６が配置されている。光源５１は、例えばハロゲンランプ、キセノンランプ、ＬＥＤ，ファイバーライトガイド等によって実現され、試料Ｓの観察像を形成するための照明光を出射する。光源５１として、軽量化やコスト、扱い易さの点からＬＥＤが最も適しており、また、技術的にも極めて実現性が高いといえる。照明レンズ５２は、光源５１が出射する照明光を所定の位置に集光する。ハーフミラー５３は、光源５１から出射された照明光を対物レンズ５４の方向に導く。対物レンズ５４は、入力された照明光を試料載置台３上の試料Ｓに集光して照射する。結像レンズ５５は、対物レンズ５４およびハーフミラー５３を介して入力される試料Ｓの反射光を集光して観察像を結像する。撮像部５６は、ＣＣＤカメラによって実現され、結像レンズ５５を介して入力される試料Ｓの観察像を撮像し、この撮像した試料Ｓの観察像を出力部６に出力して表示させることによって、試料Ｓの拡大観察を可能とする。
【００２０】
ここで、支持部４とベース部２との間には、圧縮スプリングによって実現される弾性部材７が設けられている。弾性部材７の一端は、ベース部２の後板２５に設けられたピン２５ａに連結され、他端は、支持部４の空間に設けられたピン４２ｃに連結される。弾性部材７は、チューブの内部でガスが所定の速度で移動することによって、ピストンロッドにあたる部分が滑らかに伸縮して移動する。これを実現するため、弾性部材７は、支持部４および顕微鏡本体部５の合計質量に応じて反発力を選択する。弾性部材７は、支持部４が顕微鏡本体部５と支持部４とを配列した方向に移動する際に支持部４と顕微鏡本体部５の荷重バランスを維持し、ピン４２ｃを介して支持部４を押し上げる。
【００２１】
つぎに、図３を参照して、上述した係合部４２ａおよび係合部４２ｂについて詳細に説明する。図３は、図１に示したＡ−Ａ線断面図である。図３に示すように、係合部４２ａは、ガイド部２４ａ内に嵌め込まれ、係合部４２ｂは、ガイド部２４ｂ内に嵌め込まれる。これにより、係合部４２ａ，４２ｂは、ガイド部２４ａ，２４ｂの円弧状の空間内のみ移動が可能となる。ベース部２の左右の側板２４は、支持部４を所定の間隔を維持して挟み込むように保持する。このため、ベース部２の左右の側板２４と支持部４との間には、スペーサ８が設けられている。スペーサ８は、係合部４２ａ，４２ｂと同軸のリング状部材であり、たとえば、低摩擦な素材で形成されたリングやワッシャによって実現される。スペーサ８は、係合部４２ａ，４２ｂを挟み込むように支持部４の左右の側板４２にそれぞれ配置される。スペーサ８は、支持部４が顕微鏡本体部５と支持部４との配列方向に移動する場合に、支持部４とベース部２の左右の側板２４との間に生じる摩擦を低減する。
【００２２】
つぎに、図４〜図６を参照して、上述した固定部２６および支持部４に設けられたガイド部２６ｂについて説明する。図４は、本発明の実施の形態１の顕微鏡１による斜め観察時の側面図であり、図５は、図４に示す顕微鏡１の平面図であり、図６は、図４のB−B線断面図である。図６に示すように、固定部２６は、先端部にネジが形成されており、ベース部２の側板２４に設けられた孔部２６ａおよび支持部４のガイド部２６ｂを貫通し、固定リング２６ｃに噛合うことによって連結して固定される。固定リング２６ｃは、図示しない手段によって自身の回転が規制されており、固定部２６の回転で連れ回ることがないように設けられている。また、ベース部２の側板２４と支持部４との間には、固定部２６と同軸にリング状のスペーサ９が設けられている。スペーサ９は、スペーサ８と同様に、ベース部２と支持部４の隙間を一定に維持する。ガイド部２６ｂは、ガイド部２４ａと同様に、対物レンズ５４の焦点位置を中心軸に支持部４の側板４２に円弧状に形成され、半径Ｒ３を有する。固定部２６は、先端部のネジ部分が固定リング２６ｃに締め込まれる方向に回転した場合、固定リング２６ｃと共にベース部２の左右の側板２４によって、支持部４を挟み込むことでベース部２に対する支持部４の移動を規制する。すなわち、固定部２６は、支持部４が顕微鏡本体部５と支持部４とを配列した方向に傾斜した任意の位置でベース部２の側板２４に支持部４を固定する。
【００２３】
ここで、本発明の実施の形態１の顕微鏡１の操作方法について説明する。まず、操作者は、図１に示すように、顕微鏡本体部５が直立した状態で試料載置台３を顕微鏡本体部５の光軸Ｌと直交する面内で試料Ｓの観察箇所を合わせて試料Ｓの観察を行う。この場合、固定部２６は、固定リング２６ｃを締め込む方向に回転しているため、支持部４がベース部２の側板２４に固定される。これにより、支持部４が顕微鏡本体部５の自重により、顕微鏡本体部５と支持部４とを配列した方向（Ｙ軸方向）に移動することを防止し、鉛直方向から試料Ｓの観察が可能となる。
【００２４】
つぎに、試料Ｓを斜め上方から観察する場合について説明する。まず、操作者は、固定部２６を緩める方向に回転操作し、支持部４がベース部２の側板２４に対して移動可能な状態にする。その後、操作者は、図４に示すように、顕微鏡本体部５を支持部４と顕微鏡本体部５とを配列した方向（Ｙ軸方向）に傾斜させ、顕微鏡本体部５の傾斜角度を直立状態から任意の角度、例えば２０度に傾斜させる。この場合、支持部４がガイド部２４ａ，２４ｂにより移動が規制されているため、試料Ｓに対する対物レンズ５４の焦点位置を中心に移動する。その後、操作者は、固定部２６を締め込む方向に回転操作し、ベース部２の左右の側板２４に支持部４を挟み込ませるように固定させることによって、支持部４をベース部２の側板２４に固定させた状態で試料Ｓを観察することができる。これにより、所望の角度で試料Ｓの観察が可能となる。
【００２５】
また、顕微鏡本体部５を直立状態から傾斜させる場合、支持部４がベース部２の左右の側板２４にそれぞれ設けられたガイド部２４ａ，２４ｂに沿って移動するため、試料Ｓに対する対物レンズ５４の焦点位置を維持した状態で移動する。これにより、顕微鏡本体部５は、試料Ｓを斜め上方から観察することができる。さらに、操作者は、弾性部材７が顕微鏡本体部５を移動させる際に必要となる力量を所定の力量以下となるように保つため、顕微鏡本体部５の移動操作を容易に行うことができる。
【００２６】
また、顕微鏡本体部５は、図２および図５に示すように、顕微鏡本体部５の重心がベース部２の中心線ＣＬから外れることなく、顕微鏡本体部５と支持部４とを配列した方向（Ｙ軸方向）に移動する。このため、顕微鏡本体部５は、移動の前後においてベース部２の床面積の範囲内でバランスの良い位置を移動することができ、顕微鏡本体部５の重心がベース部２に対して偏ることを防止することができる。これにより、顕微鏡１全体で重心のバランスが崩れることなく、試料Ｓの斜め観察時に安定性を得ることができる。
【００２７】
また、支持部４は、顕微鏡本体部５が直立状態または傾斜状態であっても、固定部２６によってベース部２の左右の側板２４に位置を固定されるため、顕微鏡本体部５の移動前後でベース部２の側板２４による支持部４の保持力が変化しない。
【００２８】
本発明の実施の形態１によれば、ベース部２の左右の側板２４に対物レンズ５４の焦点位置を中心軸に円弧状に形成されたガイド部２４ａおよびガイド部２４ｂを設け、ガイド部２４ａおよびガイド部２４ｂに係合部４２ａおよび係合部４２ｂをそれぞれ嵌め込み、対物レンズ５４の焦点位置を中心軸に顕微鏡本体部５と支持部４とを配列した方向に所定範囲内で傾斜可能に支持部４を保持することによって、顕微鏡本体部５がどのような姿勢にあっても静止状態での安定性を確実に得ることができると共に、必要以上に装置を大型化せずに簡易な構成で試料Ｓを斜め観察することができる。
【００２９】
（実施の形態２）
つぎに、本発明の実施の形態２について説明する。上述した本発明の実施の形態１では、昇降調整部を調整することによって、試料載置台上の試料に対する対物レンズの焦点位置を調整していたが、本発明の実施の形態２では、さらに、対物レンズの位置を調整可能にすることによって、試料載置台上の試料に対する対物レンズの焦点位置を調整する。
【００３０】
図７は、本発明の実施の形態２にかかる顕微鏡の構成を示す側面図であり、図８は、図７に示した顕微鏡による斜め観察時の側面図である。図７および図８において、上記本発明の実施の形態１で説明した顕微鏡１と同じ構成を有する部位については、同一の符号を付している。
【００３１】
顕微鏡本体部６０は、図７および図８に示すように、焦点調整部７０を介して対物レンズ５４が連結される。焦点調整部７０は、対物レンズ５４の焦点位置を上下に移動させ、試料載置台３の試料Ｓによる対物レンズ５４の焦点位置を調整する。なお、焦点調整部７０は、モータ等の駆動機構を用いて遠隔操作または自動制御されるようにしてもよい。
【００３２】
ここで、本発明の実施の形態２の顕微鏡１００の操作方法について説明する。まず、操作者は、図７に示すように、顕微鏡本体部６０が直立した状態で試料載置台３を顕微鏡本体部６０の光軸Ｌと直交する面内で試料Ｓの観察箇所を合わせて試料Ｓの観察を行う。この場合、固定部２６は固定リング２６ｃを締め込む方向に回転しているため、支持部４がベース部２の側板２４に固定される。これにより、支持部４が顕微鏡本体部６０の自重により、顕微鏡本体部６０と支持部４とを配列した方向（Ｙ軸方向）に移動することを防止し、鉛直方向から試料Ｓの観察が可能となる。
【００３３】
つぎに、試料Ｓを斜め上方から観察する場合について説明する。まず、操作者は、固定部２６を緩める方向に回転操作し、支持部４がベース部２の側板２４に対して移動可能な状態にする。その後、操作者は、図８に示すように、顕微鏡本体部６０を支持部４と顕微鏡本体部６０とを配列した方向（Ｙ軸方向）に傾斜させる。この場合、支持部４がガイド部２４ａ，２４ｂにより移動が規制されているため、試料Ｓに対する対物レンズ５４の焦点位置を中心に移動する。その後、操作者は、固定部２６を締め込む方向に回転操作し、ベース部２の左右の側板２４に支持部４を挟み込ませるように固定させることによって、支持部４をベース部２の側板２４に固定させた状態で試料Ｓを観察する。その後、操作者は、出力部６に表示される試料Ｓの観察像の視野内において所望の箇所で焦点が合っていない場合に、焦点調整部７０を操作し、顕微鏡本体部６０の光軸Ｌに対して上下方向に対物レンズ５４を移動させ、対物レンズ５４の焦点位置を試料Ｓの観察部分に一致させる。これにより、試料Ｓの観察箇所の位置出し操作を最小限にとどめることができ、斜め観察時における試料Ｓの拡大観察を容易に行うことができる。
【００３４】
本発明の実施の形態２では、顕微鏡本体部６０に焦点調整部７０を設け、試料Ｓに対して斜め観察する場合、焦点調整部７０によって顕微鏡本体部６０の光軸Ｌに対して上下方向に対物レンズ５４を移動させ、対物レンズ５４の焦点位置を試料Ｓの観察部分に一致させることによって、試料Ｓの位置出しを最小限の調整で行うことができる。さらに、実施の形態１と同様に、試料Ｓを斜め上方から観察する際に顕微鏡本体部６０がどのような姿勢にあっても静止状態での安定性を確実に得ることができると共に、必要以上に装置を大型化せずに簡易な構成で試料Ｓを斜め観察することができる。
【００３５】
また、上述した本発明の実施の形態１，２では、試料Ｓの形状に対応させて試料載置台３を変更した場合であっても、支持部４を対物レンズ５４の焦点位置を中心軸に移動を制限し、顕微鏡本体部５，６０と支持部４とを配列した方向（Ｙ軸方向）に顕微鏡本体部５，６０を傾斜させているため、試料Ｓの形状に対応させて試料載置台３の面積を変更することが容易である。この場合、試料載置台３を変更するのみで、他の構成の変更が必要ないため、装置の大型化および改造を招く恐れがない。
【００３６】
さらに、上述した本発明の実施の形態１，２では、顕微鏡本体部５，６０の傾斜範囲がベース部２の床面積の範囲内のため、従来の直立型の顕微鏡と同様の床面積（設置面積）の範囲内で、試料Ｓに対して斜め観察することが可能である。
【００３７】
また、上述した本発明の実施の形態１，２では、顕微鏡本体部５，６０は、対物レンズ５４を一つ備える構成であったが、これに限らず、倍率の異なる複数の対物レンズを保持し、所望の対物レンズを顕微鏡本体部５，６０の光軸Ｌ上に配置するレボルバを設けてもよい。
【００３８】
また、上述した本発明の実施の形態１，２では、顕微鏡本体部５，６０の回転機構をベース部２の左右の側板２４内部に設けているため、従来の斜め観察可能な顕微鏡に比べ、装置を大型化することを防止することができる。
【００３９】
また、上述した本発明の実施の形態１，２では、支持部４をベース部２の左右の側板２４によって、支持部４を挟み込むようにしていたが、これに限らず、支持部４の左右の側板４２によってベース部２の左右の側板２４を挟み込むようにしてもよい。
【００４０】
また、上述した本発明の実施の形態１，２では、ベース部２の左右の側板２４にガイド部２４ａ，２４ｂをそれぞれ設け、支持部４の左右の側板４２に係合部４２ａ，４２ｂをそれぞれ設けたが、これに限らず、支持部４の左右の側板４２にガイド部２４ａ，２４ｂを、ベース部２の左右の側板２４に係合部４２ａ，４２ｂをそれぞれ設けてもよい。
【００４１】
また、上述した本発明の実施の形態１，２では、ベース部２の後方における上端部の周縁に、左右の側板２４および後板２５を立てた状態で平面的にコ字状の空間を形成していたが、左右の側板２４および後板２５を一枚の板を折り曲げて形成してもよく、支持部４も同様に、一枚の板を折り曲げて形成してもよい。
【００４２】
また、上述した本発明の実施の形態１，２では、ガイド部２４ａ，２４ｂが円弧状の穴であったが、たとえば、円弧状の溝を形成し、この溝に係合部４２ａ，４２ｂを嵌め込むようにしてもよい。要は、係合部４２ａ，４２ｂがガイド部２４ａ，２４ｂに沿って移動可能であればよい。
【符号の説明】
【００４３】
１，１００      顕微鏡
２              ベース部
３              試料載置台
４              支持部
５，６０        顕微鏡本体部
６              出力部
７              弾性部材
３１            保持部
３２            移動調整部
３３            昇降調整部
２４ａ，２４ｂ，２６ｂ  ガイド部
２６            固定部
４２ａ，４２ｂ  係合部
５１            光源
５２            照明レンズ
５４            対物レンズ
５５            結像レンズ
５６            撮像部
７０            焦点調整部
Ｓ              試料
Ｌ              光軸
ＣＬ            中心線
【図１】
2011007874.tif 000003
【図２】
2011007874.tif 000004
【図３】
2011007874.tif 000005
【図４】
2011007874.tif 000006
【図５】
2011007874.tif 000007
【図６】
2011007874.tif 000008
【図７】
2011007874.tif 000009
【図８】
2011007874.tif 000010